(57)【特許請求の範囲】
【請求項１】
使用時皮膚に近接する第１側を有する針基と、
前記針基に接続される第１端を有し、前記第１側に平行するように延長される針と、
前記針基の外部に設置されて、前記針基とともに前記針の延長方向に沿って摺動可能に係合される第１の構造部材と、
前記第１の構造部材と前記針基との間には、第１のストッパー機構が設置されて、前記第１の構造部材が前記針の延長方向に沿って前記針基から分離されることを制限し、
前記第１の構造部材の外部に設置されて、前記第１の構造部材とともに前記針の延長方向に沿って摺動可能に係合される第２の構造部材と、を備え、
前記第１の構造部材と前記第２の構造部材との間には、第２のストッパー機構が設置されて、前記第２の構造部材が前記針の延長方向に沿って前記第１の構造部材から分離されることを制限し、
前記第１の構造部材及び前記第２の構造部材は、前記針の延長方向に沿って摺動することにより、前記針の前記第１端に対しての第２端を、前記第２の構造部材に収納し、そして、前記針基は少なくとも取付け部を備え、前記取付け部は、前記針基において、前記第１の構造部材が摺動可能に係合される過程に、前記第１の構造部材に覆われることができる部分であり、前記第１の構造部材は、前記取付け部の第１側を越えず、
前記第２の構造部材は、前記取付け部の第１側を超える底部構造を有し、前記底部構造の内壁は、前記取付け部の前記第１側と摺動可能に係合されることを特徴とする穿刺装置。
【請求項２】
前記第１のストッパー機構は、前記針基及び前記第１の構造部材にそれぞれ成形された第１のストッパ構造と第２のストッパ構造とを備えて、互に組み合わせることにより、前記第１の構造部材が前記針の延長方向に沿って前記針基から分離されることを制限することを特徴とする請求項１に記載の穿刺装置。
【請求項３】
前記第１のストッパー機構は、前記針基及び前記第１の構造部材にそれぞれ成形された第１のストッパ構造と第２のストッパ構造とを備えて、互に組み合わせることにより、前記第１の構造部材が前記針の延長方向に沿って前記針基から分離されることを制限し、前記第１のストッパ構造及び前記第２のストッパ構造は、前記第１の構造部材が前記針の延長方向に沿って第１のロック位置まで運動した時、組み合わせにより、前記第１の構造部材を前記針基に対してロックすることを特徴とする請求項１に記載の穿刺装置。
【請求項４】
前記針基の上面には、少なくとも一つの第１のストッパ構造が設置され、前記第１の構造部材には一つの収容空間が設置され、前記収容空間には少なくとも一つの弾性制限部が設置され、前記第１のストッパ構造が、前記収容空間の内壁と前記弾性制限部の自由端との間に移動した時、前記弾性制限部は、前記第１のストッパ構造が前記弾性制限部の固定端に向かって移動することを制限することを特徴とする請求項２に記載の穿刺装置。
【請求項５】
前記第１のストッパ構造は突出部であり、前記収容空間は貫通孔であることを特徴とする請求項４に記載の穿刺装置。
【請求項６】
前記第１のストッパ構造は突出部であり、前記収容空間は貫通孔であり、前記第１の構造部材には一つのストライプ溝がさらに設置され、前記ストライプ溝は前記収容空間に連通され、前記ストライプ溝は前記突出部の上方に位置されることを特徴とする請求項４に記載の穿刺装置。
【請求項７】
前記第１のストッパ構造は突出部であり、前記収容空間は貫通孔であり、前記第１の構造部材には一つのストライプ溝がさらに設置され、前記ストライプ溝は前記収容空間に連通され、前記ストライプ溝は前記突出部の上方に位置され、前記弾性制限部は二つであり、二つの前記弾性制限部はそれぞれ前記ストライプ溝の両側に位置されることを特徴とする請求項４に記載の穿刺装置。
【請求項８】
前記第１のストッパ構造は突出部であり、前記収容空間は貫通孔であり、前記第１の構造部材には一つのストライプ溝がさらに設置され、前記ストライプ溝は前記収容空間に連通され、前記ストライプ溝は前記突出部の上方に位置され、前記弾性制限部は二つであり、二つの前記弾性制限部はそれぞれ前記ストライプ溝の両側に位置され、二つの前記弾性制限部の自由端の間の距離は、二つの前記弾性制限部の固定端の間の距離より小さいことを特徴とする請求項４に記載の穿刺装置。
【請求項９】
前記第１のストッパ構造は突出部であり、前記収容空間は貫通孔であり、前記第１の構造部材には一つのストライプ溝がさらに設置され、前記ストライプ溝は前記収容空間に連通され、前記ストライプ溝は前記突出部の上方に位置され、前記弾性制限部は二つであり、二つの前記弾性制限部はすべて前記ストライプ溝の一側に位置され、前記突出部は二つであり、二つの前記突出部はそれぞれ二つの前記弾性制限部と係り合うことを特徴とする請求項４に記載の穿刺装置。
【請求項１０】
前記第１のストッパ構造は突出部であり、前記収容空間は貫通孔であり、前記第１の構造部材には一つのストライプ溝がさらに設置され、前記ストライプ溝は前記収容空間に連通され、前記ストライプ溝は前記突出部の上方に位置され、前記弾性制限部は四つであり、二つの前記弾性制限部は前記ストライプ溝の一側に位置され、他の二つの前記弾性制限部は前記ストライプ溝の他側に位置することを特徴とする請求項４に記載の穿刺装置。
【請求項１１】
前記第１のストッパ構造は、針基が前記針の前記第２端に近接する一側において、前記針基の外表面に接着される傾斜面であり、前記第１のストッパ構造の頂部は溝を有し、
前記第２のストッパ構造は、第１の構造部材が前記針の前記第２端から離れた一側において、弾性制限部であり、弾性制限部のスナップフィットを有し、前記第１のストッパ構造の傾斜面は、前記弾性制限部のスナップフィットとともに摺動可能に係合されることにより前記弾性制限部の弾性変形を発生させて、前記弾性制限部のスナップフィットは、前記弾性制限部の弾性回復により前記溝に係止されることを特徴とする請求項２に記載の穿刺装置。
【請求項１２】
前記第２のストッパー機構は、前記第１の構造部材及び前記第２の構造部材にそれぞれ成形された第３のストッパ構造と第４のストッパ構造とを備えて、互に組み合わせることにより、前記第２の構造部材が前記針の延長方向に沿って前記第１の構造部材から分離されることを制限することを特徴とする請求項１に記載の穿刺装置。
【請求項１３】
前記第２のストッパー機構は、前記第１の構造部材及び前記第２の構造部材にそれぞれ成形された第３のストッパ構造と第４のストッパ構造とを備えて、互に組み合わせることにより、前記第２の構造部材が前記針の延長方向に沿って前記第１の構造部材から分離されることを制限し、前記第３のストッパ構造及び前記第４のストッパ構造は、前記第２の構造部材が前記針の延長方向に沿って第２のロック位置まで運動した時、組み合わせにより、前記第２の構造部材を前記第１の構造部材に対してロックすることを特徴とする請求項１に記載の穿刺装置。
【請求項１４】
前記第２のストッパー機構は、前記第１の構造部材及び前記第２の構造部材にそれぞれ成形された第３のストッパ構造と第４のストッパ構造とを備えて、互に組み合わせることにより、前記第２の構造部材が前記針の延長方向に沿って前記第１の構造部材から分離されることを制限し、前記第３のストッパ構造は、前記第１の構造部材に成形された突出構造であり、前記突出構造は、前記針の前記第２端に近接する一側において、前記第１の構造部材の外表面に接着される傾斜面であり、前記突出構造の頂部は溝を有し、前記第４のストッパ構造は弾性係止部材であり、前記弾性係止部材は、第２の構造部材が前記針の前記第２端から離れた一側において、弾性係止部材のスナップフィットを有し、前記突出構造の傾斜面は、前記弾性係止部材のスナップフィットとともに摺動可能に係合されることにより前記弾性係止部材の弾性変形を発生させて、前記弾性係止部材のスナップフィットは、前記弾性係止部材の弾性回復により前記突出構造の溝に係止されることを特徴とする請求項１に記載の穿刺装置。
【請求項１５】
前記第２のストッパー機構は、一つの第１の受け止め部と、一つの第２の受け止め部と、一つの第３の受け止め部と、一つの弾性係止部材とを備え、前記第１の受け止め部及び前記第２の受け止め部は、前記第１の構造部材の上面に設置され、前記弾性係止部材は、前記第２の構造部材の上面に設置され、前記第３の受け止め部は、前記第２の構造部材の下面に設置され、前記弾性係止部材が第１の受け止め部の前方に移動した時、前記第２の受け止め部は、前記第３の受け止め部が移動し続けることを制限することを特徴とする請求項１に記載の穿刺装置。
【請求項１６】
前記第１の構造部材は第１のカバー部材であり、前記第１のカバー部材は前記針基にカバーして設置され、前記第２の構造部材は第２のカバー部材であり、前記第２のカバー部材は前記第１のカバー部材にカバーして設置されることを特徴とする請求項１に記載の穿刺装置。
【請求項１７】
前記針基の長さは２ｍｍより大きく、前記第１の構造部材の長さは２ｍｍより大きく、前記第２の構造部材の長さは２ｍｍより大きいことを特徴とする請求項１に記載の穿刺装置。
【請求項１８】
前記第１の構造部材は、前記取付け部の第１側において開放されることを特徴とする請求項１に記載の穿刺装置。
【請求項１９】
前記取付け部は、前記第１側に対する使用時皮膚から離れる一つの頂面を有し、前記第１の構造部材は、使用時皮膚に近接する一つの底面を有し、前記第１の構造部材の底面は、前記取付け部の第１側と前記取付け部の頂面との間に位置することを特徴とする請求項１に記載の穿刺装置。
【請求項２０】
前記第２の構造部材は、前記取付け部の第１側を超える底部構造を有することを特徴とする請求項１に記載の穿刺装置。
【請求項２１】
前記第２の構造部材は、前記取付け部の第１側を超える底部構造を有し、前記第２の構造部材は、前記取付け部の前記第１側において開放構造であり、前記底部構造は、前記第２の構造部材の前記開放構造のエッジであることを特徴とする請求項１に記載の穿刺装置。
【請求項２２】
前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部及び前記第１の構造部材を囲んで内部に設置されることを特徴とする請求項１に記載の穿刺装置。
【請求項２３】
前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部及び前記第１の構造部材を囲んで内部に設置され、前記第２の構造部材の下方には一つの係合部が設置され、前記パッド層は前記係合部に係合されることを特徴とする請求項１に記載の穿刺装置。
【請求項２４】
前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部材及び前記第１の構造部材を囲んで内部に設置され、前記パッド層を含んだ前記第２の構造部材は一体成形されていることを特徴とする請求項１に記載の穿刺装置。
【請求項２５】
前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部材及び前記第１の構造部材を囲んで内部に設置され、前記針と前記パッド層の底部の垂直距離は０．０５ｍｍより大きいことを特徴とする請求項１に記載の穿刺装置。
【請求項２６】
前記第２の構造部材は、前記取付け部の第１側を超える底部構造を有し、前記第２の構造部材はスリーブであり、前記第２の構造部材は、前記取付け部の前記第１側において平底であり、前記底部構造は前記第２の構造部材の平底部分であることを特徴とする請求項１に記載の穿刺装置。
【請求項２７】
前記第２の構造部材は、前記取付け部の第１側を超える底部構造を有し、前記第２の構造部材はスリーブであり、前記第２の構造部材は、前記取付け部の前記第１側において平底であり、前記底部構造は前記第２の構造部材の平底部分であり、前記第２の構造部材の平底部分の外部には、前記第１側に平行して延長された凸状部が設置され、隣接する凸状部との間に前記第１側に平行して延長された凹状部を形成することを特徴とする請求項１に記載の穿刺装置。
【請求項２８】
前記第２の構造部材は、前記取付け部の第１側を超える底部構造を有し、前記底部構造は柔構造であることを特徴とする請求項１に記載の穿刺装置。
【請求項２９】
前記針基及び前記第１の構造部材には、互に摺動可能に係合される第１の接続構造と第２の接続構造がそれぞれ成形され、前記第１の構造部材及び前記第２の構造部材には、互に摺動可能に係合される第３の接続構造と第４の接続構造がそれぞれ成形されることを特徴とする請求項１に記載の穿刺装置。
【請求項３０】
前記針基及び前記第１の構造部材には、互に摺動可能に係合される第１の接続構造と第２の接続構造がそれぞれ成形され、前記第１の構造部材及び前記第２の構造部材には、互に摺動可能に係合される第３の接続構造と第４の接続構造がそれぞれ成形され、前記第１の接続構造及び前記第２の接続構造は、それぞれ前記針の延長方向に沿って配置された第１の滑り面及び第１のスライドレールであり、または前記第１の接続構造及び前記第２の接続構造は、それぞれ前記針の延長方向に沿って配置された第１のスライドレール及び第１の滑り面であり、前記第３の接続構造及び前記第４の接続構造は、それぞれ前記針の延長方向に沿って配置された第２の滑り面及び第２のスライドレールであり、または前記第３の接続構造及び前記第４の接続構造は、前記針の延長方向に沿って配置された第２のスライドレール及び第２の滑り面であることを特徴とする請求項１に記載の穿刺装置。
【請求項３１】
前記第２の構造部材の上面には、一つの押圧部が設置されることを特徴とする請求項１に記載の穿刺装置。
【請求項３２】
前記針基には一つの操作ハンドルが設置され、前記操作ハンドルには少なくとも一つのウイング部が設置されることを特徴とする請求項１に記載の穿刺装置。
【請求項３３】
前記針基には一つの操作ハンドルが設置され、前記操作ハンドルには少なくとも一つのウイング部が設置され、前記ウイング部は一つであり、前記ウイング部は前記針基の一側に位置されることを特徴とする請求項１に記載の穿刺装置。
【請求項３４】
前記針基には一つの操作ハンドルが設置され、前記操作ハンドルには少なくとも一つのウイング部が設置され、前記ウイング部は二つであり、二つの前記ウイング部は、それぞれ前記針基の両側に位置されることを特徴とする請求項１に記載の穿刺装置。
【請求項３５】
前記針基には一つの操作ハンドルが設置され、前記操作ハンドルには少なくとも一つのウイング部が設置され、前記操作ハンドルは、前記針基にスリーブ接続され、または前記操作ハンドルは前記針基に一体成形されており、または前記操作ハンドルは前記針基に係合されることを特徴とする請求項１に記載の穿刺装置。
【請求項３６】
前記針基には一つの操作ハンドルが設置され、前記操作ハンドルには、少なくとも一つのウイング部が設置され、前記操作ハンドルは、さらに一つの折り曲げ部を備え、前記折り曲げ部は、前記ウイング部と前記針基との間に設置されることを特徴とする請求項１に記載の穿刺装置。
【請求項３７】
前記第１の構造部材及び前記第２の構造部材は、いずれも、ｎ形またはｃ形の溝型構造を含むことを特徴とする請求項１に記載の穿刺装置。
【請求項３８】
前記穿刺装置は、複数の第１の構造部材を備え、前記複数の第１の構造部材は積層して設置されて、互に前記針の延長方向に沿って摺動可能に係合され、互に組み合わせた前記複数の第１の構造部材の間には、前記複数第１の構造部材が前記針の延長方向に沿って分離されることを制限するストッパー機構が設置され、前記複数の第１の構造部材のうちの最も内部に位置する第１の構造部材は前記針基と摺動可能に係合され、前記複数の第１の構造部材のうちの最も外部に位置する第１の構造部材は前記第２の構造部材と摺動可能に係合されることを特徴とする請求項１に記載の穿刺装置。
【請求項３９】
前記穿刺装置は、静脈内注射針、採血針、留置針または注射針であることを特徴とする請求項１に記載の穿刺装置。
【発明の詳細な説明】
【発明の詳細な説明】
【０００１】
本願発明は、出願日が２０１５年１１月２３日であり、出願番号がＣＮ２０１５１０８１８１４７.６の中国特許出願の優先権と、出願日が２０１５年１１月２３日であり、出願番号がＣＮ２０１５２０９３９８３９.１の中国特許出願の優先権と、出願日が２０１６年７月７日であり、出願番号がＣＮ２０１６１０５３１５７９.３の中国特許出願の優先権を主張する。本願発明は、上記の中国特許出願の全文を引用する。
【技術分野】
【０００２】
本発明は、穿刺装置に関する。
【背景技術】
【０００３】
従来の静脈内注射針のような穿刺装置は、一般的に使い捨てである。使用後、穿刺装置を、医療廃棄物として廃棄することを必要とする。穿刺装置を廃棄する場合、穿刺装置としての針が人または物体を突き刺すことを避けるために、一般的に、針基に針カバーを加設する。しかし、従来の穿刺装置は、針カバーが脱落しやすい欠陥が存在するので、針の露出を引き起こすことがある。
【発明の概要】
【発明が解決しようとする課題】
【０００４】
本発明の解決しようとする技術問題は、従来の穿刺装置に存在する針カバーが脱落しやすい欠陥を克服するための穿刺装置を提供することにある。
【課題を解決するための手段】
【０００５】
本発明は、以下の技術方案によって前記技術問題を解決することであり、
穿刺装置において、
使用時皮膚に近接する第１側を有する針基と、
前記針基に接続される第１端を有し、前記第１側に平行するように延長される針と、
前記針基の外部に設置されて、前記針基とともに前記針の延長方向に沿って摺動可能に係合される前記第１の構造部材と、前記第１の構造部材と前記針基との間には、第１のストッパー機構が設置されて、前記第１の構造部材が前記針の延長方向に沿って前記針基から分離されることを制限し、
前記第１の構造部材の外部に設置されて、前記第１の構造部材とともに前記針の延長方向に沿って摺動可能に係合される第２の構造部材と、を備え、前記第１の構造部材と前記第２の構造部材との間には、第２のストッパー機構が設置されて、前記第２の構造部材が前記針の延長方向に沿って前記第１の構造部材から分離されることを制限し、
前記第１の構造部材及び前記第２の構造部材は、前記針の延長方向に沿って摺動することにより、前記針の前記第１端に対しての第２端を、前記第２の構造部材に収納することを特徴とする。
【０００６】
前記第１のストッパー機構は、前記針基及び前記第１の構造部材にそれぞれ成形された第１のストッパ構造と第２のストッパ構造とを備えて、互に組み合わせることにより、前記第１の構造部材が前記針の延長方向に沿って前記針基から分離されることを制限し、
または、前記第１のストッパー機構は、前記針基及び前記第１の構造部材にそれぞれ成形された第１のストッパ構造と第２のストッパ構造とを備えて、互に組み合わせることにより、前記第１の構造部材が前記針の延長方向に沿って前記針基から分離されることを制限し、前記第１のストッパ構造及び前記第２のストッパ構造は、前記第１の構造部材が前記針の延長方向に沿って第１のロック位置まで運動した時、組み合わせにより、前記第１の構造部材を前記針基に対してロックすることが好ましい。
【０００７】
前記針基の上面には、少なくとも一つの第１のストッパ構造が設置され、前記第１の構造部材には一つの収容空間が設置され、前記収容空間には少なくとも一つの弾性制限部が設置され、前記第１のストッパ構造が、前記収容空間の内壁と前記弾性制限部の自由端との間に移動した時、前記弾性制限部は、前記第１のストッパ構造が前記弾性制限部の固定端に向かって移動することを制限することが好ましい。
【０００８】
前記第１のストッパ構造は突出部であり、前記収容空間はビアであり、
または前記第１のストッパ構造は突出部であり、前記収容空間はビアであり、前記第１の構造部材には一つのストライプ溝がさらに設置され、前記ストライプ溝は前記収容空間に連通され、前記ストライプ溝は前記突出部の上方に位置され、
または前記第１のストッパ構造は突出部であり、前記収容空間はビアであり、前記第１の構造部材には一つのストライプ溝がさらに設置され、前記ストライプ溝は前記収容空間に連通され、前記ストライプ溝は前記突出部の上方に位置され、前記弾性制限部は二つであり、二つの前記弾性制限部はそれぞれ前記溝の両側に位置され、
または前記第１のストッパ構造は突出部であり、前記収容空間はビアであり、前記第１の構造部材には一つのストライプ溝がさらに設置され、前記ストライプ溝は前記収容空間に連通され、前記ストライプ溝は前記突出部の上方に位置され、前記弾性制限部は二つであり、二つの前記弾性制限部はそれぞれ前記溝の両側に位置され、二つの前記弾性制限部の自由端の間の距離は、二つの前記弾性制限部の固定端の間の距離より小さく、
または前記第１のストッパ構造は突出部であり、前記収容空間はビアであり、前記第１の構造部材には一つのストライプ溝がさらに設置され、前記ストライプ溝は前記収容空間に連通され、前記ストライプ溝は前記突出部の上方に位置され、前記弾性制限部は二つであり、二つの前記弾性制限部はすべて前記ストライプ溝の一側に位置され、前記突出部は二つであり、二つの前記突出部はそれぞれ二つの前記弾性制限部と係り合い、
または前記第１のストッパ構造は突出部であり、前記収容空間はビアであり、前記第１の構造部材には一つのストライプ溝がさらに設置され、前記ストライプ溝は前記収容空間に連通され、前記ストライプ溝は前記突出部の上方に位置され、前記弾性制限部は四つであり、二つの前記弾性制限部は前記ストライプ溝の一側に位置され、他の二つの前記弾性制限部は前記溝の他側に位置することが好ましい。
【０００９】
前記第１のストッパ構造は、針基が前記針の前記第２端に近接する一側において、前記針基の外表面に接着される傾斜面であり、前記第１のストッパ構造の頂部は溝を有し、
前記第２のストッパ構造は、第１の構造部材が前記針の前記第２端から離れた一側において、弾性制限部であり、弾性制限部のスナップフィットを有し、前記第１のストッパ構造の傾斜面は、前記弾性制限部のスナップフィットとともに摺動可能に係合されることにより前記弾性制限部の弾性変形を発生させて、前記弾性制限部のスナップフィットは、前記弾性制限部の弾性回復により前記溝に係止されることが好ましい。
【００１０】
前記第２のストッパー機構は、前記第１の構造部材及び前記第２の構造部材にそれぞれ成形された第３のストッパ構造と第４のストッパ構造とを備え、互に組み合わせることにより、前記第２の構造部材が前記針の延長方向に沿って前記第１の構造部材から分離されることを制限し、
または前記第２のストッパー機構は、前記第１の構造部材及び前記第２の構造部材にそれぞれ成形された第３のストッパ構造と第４のストッパ構造とを備え、互に組み合わせることにより、前記第２の構造部材が前記針の延長方向に沿って前記第１の構造部材から分離されることを制限し、前記第３のストッパ構造及び前記第４のストッパ構造は、前記第２の構造部材が前記針の延長方向に沿って第２のロック位置まで運動した時、組み合わせにより、前記第２の構造部材を前記第１の構造部材に対してロックし、
または前記第２のストッパー機構は、前記第１の構造部材及び前記第２の構造部材にそれぞれ成形された第３のストッパ構造と第４のストッパ構造とを備え、互に組み合わせることにより、前記第２の構造部材が前記針の延長方向に沿って前記第１の構造部材から分離されることを制限し、前記第３のストッパ構造は、前記第１の構造部材に成形された突出構造であり、前記突出構造は、前記針の前記第２端に近接する一側において、前記第１の構造部材の外表面に接着される傾斜面であり、前記突出構造の頂部は溝を有し、前記第４のストッパ構造は弾性係止部材であり、前記弾性係止部材は、第２の構造部材が前記針の前記第２端から離れた一側において、弾性係止部材のスナップフィットを有し、前記突出構造の傾斜面は、前記弾性係止部材のスナップフィットとともに摺動可能に係合されることにより前記弾性係止部材の弾性変形を発生させて、前記弾性係止部材のスナップフィットは、前記弾性係止部材の弾性回復により前記突出構造の溝に係止されることが好ましい。
【００１１】
前記第２のストッパー機構は、一つの第１の受け止め部と、一つの第２の受け止め部と、一つの第３の受け止め部と、一つの弾性係止部材とを備え、前記第１の受け止め部及び前記第２の受け止め部は、前記第１の構造部材の上面に設置され、前記弾性係止部材は、前記第２の構造部材の上面に設置され、前記第３の受け止め部は、前記第２の構造部材の下面に設置され、前記弾性係止部材が第１の受け止め部の前方に移動した時、前記第２の受け止め部は、前記第３の受け止め部が移動し続けることを制限することが好ましい。
【００１２】
前記第１の構造部材は第１のカバー部材であり、前記第１のカバー部材は前記針基にカバーして設置され、前記第２の構造部材は第２のカバー部材であり、前記第２のカバー部材は前記第１のカバー部材にカバーして設置され、
または前記針基の長さは２ｍｍより大きく、前記第１の構造部材の長さは２ｍｍより大きく、前記第２の構造部材の長さは２ｍｍより大きいことが好ましい。
【００１３】
前記針基は少なくとも取付け部を備え、前記取付け部は、前記針基において、前記第１の構造部材が摺動可能に係合される過程に、前記第１の構造部材に覆われることができる部分であり、前記第１の構造部材は、前記取付け部の第１側を越えないことが好ましい。
【００１４】
前記第１の構造部材は、前記取付け部の第１側において開放され、
または前記取付け部は、前記第１側に対する使用時皮膚から離れる一つの頂面を有し、前記第１の構造部材は、使用時皮膚に近接する一つの底面を有し、前記第１の構造部材の底面は、前記取付け部の第１側と前記取付け部の頂面との間に位置することが好ましい。
【００１５】
前記第２の構造部材は、前記取付け部の第１側を超える底部構造を有し、
または前記第２の構造部材は、前記取付け部の第１側を超える底部構造を有し、前記第２の構造部材は、前記取付け部の前記第１側において開放構造であり、前記底部構造は、前記第２の構造部材の前記開放構造のエッジであり、
または前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部及び前記第１の構造部材を囲んで内部に設置され、
または前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部及び前記第１の構造部材を囲んで内部に設置され、前記第２の構造部材の下方には一つの係合部が設置され、前記パッド層は前記係合部に係合され、
または前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部材及び前記第１の構造部材を囲んで内部に設置され、前記パッド層を含んだ前記第２の構造部材は一体成形されており、
または前記第２の構造部材は、前記取付け部の第１側を超える底部構造を有し、前記第２の構造部材の底部には一つのパッド層が設置され、前記底部構造は前記パッド層であり、前記パッド層の底部は平らな表面であり、前記第２の構造部材は、前記取付け部材及び前記第１の構造部材を囲んで内部に設置され、前記針と前記パッド層の底部の垂直距離は０.０５ｍｍより大きく、
または前記第２の構造部材は、前記取付け部の第１側を超える底部構造を有し、前記第２の構造部材はスリーブであり、前記第２の構造部材は、前記取付け部の前記第１側において平底であり、前記底部構造は前記第２の構造部材の平底部分であり、
または前記第２の構造部材は、前記取付け部の第１側を超える底部構造を有し、前記第２の構造部材はスリーブであり、前記第２の構造部材は、前記取付け部の前記第１側において平底であり、前記底部構造は前記第２の構造部材の平底部分であり、前記第２の構造部材の平底部分の外部には、前記第１側に平行して延長された凸状部が設置され、隣接する凸状部との間に前記第１側に平行して延長された凹状部を形成し、
または前記第２の構造部材は、前記取付け部の第１側を超える底部構造を有し、前記底部構造は柔構造であり、
または前記第２の構造部材は、前記取付け部の第１側を超える底部構造を有し、前記底部構造の内壁は、前記取付け部の前記第１側と摺動可能に係合されることが好ましい。
【００１６】
前記針基及び前記第１の構造部材には、互に摺動可能に係合される第１の接続構造と第２の接続構造がそれぞれ成形され、前記第１の構造部材及び前記第２の構造部材には、互に摺動可能に係合される第３の接続構造と第４の接続構造がそれぞれ成形され、
または前記針基及び前記第１の構造部材には、互に摺動可能に係合される第１の接続構造と第２の接続構造がそれぞれ成形され、前記第１の構造部材及び前記第２の構造部材には、互に摺動可能に係合される第３の接続構造と第４の接続構造がそれぞれ成形され、前記第１の接続構造及び前記第２の接続構造は、それぞれ前記針の延長方向に沿って配置された第１の滑り面及び第１のスライドレールであり、または前記第１の接続構造及び前記第２の接続構造は、それぞれ前記針の延長方向に沿って配置された第１のスライドレール及び第１の滑り面であり、前記第３の接続構造及び前記第４の接続構造は、それぞれ前記針の延長方向に沿って配置された第２の滑り面及び第２のスライドレールであり、または前記第３の接続構造及び前記第４の接続構造は、前記針の延長方向に沿って配置された第２のスライドレール及び第２の滑り面であることが好ましい。
【００１７】
前記第２の構造部材の上面には、一つの押圧部が設置されることが好ましい。
前記針基には一つの操作ハンドルが設置され、前記操作ハンドルには少なくとも一つのウイング部が設置され、
または前記針基には一つの操作ハンドルが設置され、前記操作ハンドルには少なくとも一つのウイング部が設置され、前記ウイング部は一つであり、前記ウイング部は前記針基の一側に位置され、
または前記針基には一つの操作ハンドルが設置され、前記操作ハンドルには少なくとも一つのウイング部が設置され、前記ウイング部は二つであり、二つの前記ウイング部は、それぞれ前記針基の両側に位置され、
または前記針基には一つの操作ハンドルが設置され、前記操作ハンドルには少なくとも一つのウイング部が設置され、前記操作ハンドルは、前記針基にスリーブ接続され、または前記操作ハンドルは前記針基に一体成形されており、または前記操作ハンドルは前記針基に係合され、
または前記針基には一つの操作ハンドルが設置され、前記操作ハンドルには、少なくとも一つのウイング部が設置され、前記操作ハンドルは、さらに一つの折り曲げ部を備え、前記折り曲げ部は、前記ウイング部と前記針基との間に設置されることが好ましい。
【００１８】
前記第１の構造部材及び前記第２の構造部材はすべて溝形状であり、
または前記穿刺装置は、若干の第１の構造部材を備え、若干の第１の構造部材は積層して設置されて、互に前記針の延長方向に沿って摺動可能に係合され、互に組み合わせた第１の構造部材との間に、前記第１の構造部材が前記針の延長方向に沿って分離されることを制限するストッパー機構が設置され、最も内部に位置する第１の構造部材は針基と摺動可能に係合され、最も外部の第１の構造部材は第２の構造部材と摺動可能に係合され、
または前記穿刺装置は、静脈内注射針、採血針、留置針または注射針であることが好ましい。
【００１９】
本発明の技術分野の一般的な常識に基づいて、前述したそれぞれの好ましい条件は、任意に組み合わせられることにより、本発明の各好適な実施例を得ることができる。
【発明の効果】
【００２０】
本発明の肯定的な効果は以下のようである。本発明の穿刺装置は、使用時にオペレータの操作がしやすく、患者の皮膚が快適になる利点があり、使用後は急速に針基の上方の構造部材が針をカバーするようにし、また構造部材と針基との間は堅固に接続されて、構造部材が脱落することは発生しないことで、効果的に製品の安全性を向上させた。
【図面の簡単な説明】
【００２１】
【図１】本発明の好適な実施例に係る構造模式図である。
【図２】本発明の好適な実施例に係る三次元組立図である。
【図３】本発明の好適な実施例に係る第１の構造部材の三次元模式図である。
【図４】本発明の好適な実施例に係る第２の構造部材の三次元模式図である。
【図５】本発明の好適な実施例に係る第２の構造部材の底面模式図である。
【図６】本発明の好適な実施例を使用した後の上面模式図である。
【図７】本発明の好適な実施例を使用した後の底面模式図である。
【図８】本発明の好適な実施例を使用した後パッド層の未装着の場合の底面模式図である。
【図９】本発明の好適な実施例の操作ハンドルが取付け部にスリーブ接続される時の構造模式図である。
【図１０】本発明の好適な実施例に係る折り曲げ可能な操作ハンドルの構造模式図である。
【図１１】本発明の好適な実施例に係る二つの積層して設置された第１の構造部材を有する構造模式図である。
【発明を実施するための形態】
【００２２】
以下、好適な実施例を挙げて、また図面を結合しながら本発明をより明確かつ完全に説明する。
図１乃至図１０に示すように、穿刺装置は、使用時皮膚に近接する第１側１０１及び第１側１０１に対する第２側１０２を有する針基１０と、針基１０に接続される第１端２０１を有し、第１側１０１に平行して延長される針２０と、針基１０の外部に設置されて針基１０とともに針２０の延長方向に沿って摺動可能に係合される第１の構造部材３０と、第１の構造部材３０と針基１０との間には、第１のストッパー機構が設置されて、第１の構造部材３０が針２０の延長方向に沿って針基１０から分離されることを制限し、第１の構造部材３０の外部に設置されて第１の構造部材３０とともに針２０の延長方向に沿って摺動可能に係合される第２の構造部材４０とを、備え、第１の構造部材３０と第２の構造部材４０との間には、第２のストッパー機構が設置されて、第２の構造部材４０が針２０の延長方向に沿って第１の構造部材３０から分離されることを制限し、第１の構造部材３０及び第２の構造部材４０は、針２０の延長方向沿って摺動することにより針２０の第１端２０１に対する第２端２０２を、第２の構造部材４０に収納する。針２０の第２端２０２を保護することにより、針２０の第２端２０２が医療従事者を刺傷することを避ける。
【００２３】
本発明において、第１のストッパー機構は、針基１０及び第１の構造部材３０にそれぞれ成形された第１のストッパ構造と第２のストッパ構造とを備えて、互に組み合わせることにより、第１の構造部材３０が針２０の延長方向に沿って針基１０から分離されることを制限する。
【００２４】
本発明の一実施例において、第１のストッパ構造及び第２のストッパ構造は、第１の構造部材３０が針２０の延長方向に沿って第１のロックの位置まで運動した時、組み合わせにより、第１の構造部材３０を針基１０に対してロックする。
【００２５】
本発明の他の実施例において、針基１０の上面には、一つの第１のストッパ構造が設置され、第１の構造部材３０には一つの収容空間３１が設置され、収容空間３１には弾性制限部３２が設置され、第１のストッパ構造が、収容空間３１の内壁と弾性制限部３２の自由端との間に移動した時、弾性制限部３２は、第１のストッパ構造が弾性制限部３２の固定端に向かって移動することを制限する。収容空間３１の内壁の一側は、固定制限部３８である。且つ、当該実施例において、第１のストッパ構造は突出部１１であり、収容空間３１はビアである。このように第１の構造部材３０と針基１０との間は堅固に接続されて、第１の構造部材３０が跳ね返ることは発生しない。
【００２６】
第１の構造部材３０には、さらに一つのストライプ溝３５が設置され、ストライプ溝３５は収容空間３１に連通され、ストライプ溝３５は突出部１１の上方に位置する。弾性制限部３２は二つであり、二つの弾性制限部３２は、それぞれストライプ溝３５の両側に位置する。二つの弾性制限部３２の自由端との間の距離は、二つの弾性制限部３２の固定端との間の距離より小さい。
【００２７】
弾性制限部及び突出部はすべて二つであってもよく、二つの弾性制限部は、すべてストライプ溝の一側に位置されてもよく、二つの突出部は、それぞれ二つの弾性制限部と組み合わせている。このように突出部に対する制限を向上させることで、第１の構造部材の跳ね返りを防止することができる。
【００２８】
弾性制限部は四つであってもよく、二つの弾性制限部は、ストライプ溝の一側に位置され、他の二つの弾性制限部は、ストライプ溝の他側に位置される。弾性制限部の増加により、より一層突出部に対する制限を向上させた。
【００２９】
本発明のまた他の実施例において、第１のストッパ構造は、針基に近接する針の第２端の一側において、針基の外表面に接着される傾斜面であり、第１のストッパ構造の頂部は溝を有し、第２のストッパ構造は、第１の構造部材が針の第２端から離れた一側において、弾性制限部であり、弾性制限部のスナップフィットを有し、第１のストッパ構造の傾斜面は、弾性制限部のスナップフィットとともに摺動可能に係合されることにより、弾性制限部の弾性変形を発生させて、弾性制限部のスナップフィットは、弾性制限部の弾性回復により溝に係止される。
【００３０】
第１の構造部材は、針の延長方向に沿って摺動する時、弾性制限部は、前記弾性制限部のスナップフィットにより、第１のストッパ構造の傾斜面と摺動可能に係合され、弾性制限部の弾性変形を発生させ、弾性制限部のスナップフィットが第１のストッパ構造の溝まで摺動した時、弾性制限部は、弾性回復により弾性制限部のスナップフィットを溝に係止されて、溝が、弾性制限部のスナップフィットが溝から離脱することを防ぐようにする。このように、第１の構造部材と針基との間に堅固に接続されて、第１の構造部材が跳ね返ることは発生しない。
【００３１】
本発明の一実施例において、第２のストッパー機構は、第１の構造部材及び第２の構造部材にそれぞれ成形された第３のストッパ構造と第４のストッパ構造とを備えて、互に組み合わせることにより、第２の構造部材が針の延長方向に沿って第１の構造部材から分離されることを制限する。
【００３２】
第３のストッパ構造及び第４のストッパ構造は、第２の構造部材が針の延長方向に沿って第２のロック位置まで運動した時、組み合わせにより、第２の構造部材を第１の構造部材に対してロックする。
【００３３】
または、第３のストッパ構造は、第１の構造部材に成形された突出構造であり、突出構造は、針の第２端に近接する一側において、第１の構造部材の外表面に接着される傾斜面であり、突出構造の頂部は溝を有し、第４のストッパ構造は弾性係止部材であり、弾性係止部材は、第２の構造部材が針の第２端から離れた一側において、弾性係止部材のスナップフィットを有し、突出構造の傾斜面は、弾性係止部材のスナップフィットとともに摺動可能に係合されることにより、弾性係止部材の弾性変形を発生させて、弾性係止部材のスナップフィットは、弾性係止部材の弾性回復により、突出構造の溝に係止される。
【００３４】
第２の構造部材が針の延長方向に沿って摺動する時、弾性係止部材は、弾性係止部材のスナップフィットとともに突出構造の傾斜面と摺動可能に係合され、弾性係止部材の弾性変形を発生させ、弾性係止部材のスナップフィットが溝まで摺動した時、弾性係止部材は弾性回復により、弾性係止部材のスナップフィットを溝に係止させて、溝が、弾性係止部材のスナップフィットが溝から離脱することを防ぐようにする。このように、第２の構造部材と第１の構造部材との間は堅固に接続されて、第２の構造部材が跳ね返ることは発生しない。
【００３５】
本発明の他の実施例において、図２乃至図６に示すように、第２のストッパー機構は、一つの第１の受け止め部３３と、一つの第２の受け止め部３４と、一つの第３の受け止め部４２と、弾性係止部材４１とを備え、第１の受け止め部３３及び第２の受け止め部３４は、第１の構造部材３０の上面に設置され、弾性係止部材４１は、第２の構造部材４０の上面に設置され、第３の受け止め部４２は、第２の構造部材４０の下面に設置され、弾性係止部材４１が第１の受け止め部３３の前方に移動した時、第２の受け止め部３４は第３の受け止め部４２が移動し続けることを制限する。このように、第２の構造部材４０と第１の構造部材３０との間に堅固に接続されて、第２の構造部材４０が跳ね返ることは発生しない。
【００３６】
第１の受け止め部３３は、二つの帯状部３３１を備え、帯状部３３１は、第１の構造部材３０の上面に設置され、二つの帯状部３３１は平行に設置され、帯状部３３１は第３の受け止め部４２の滑走レールとして用いられる。
【００３７】
本発明の一実施例において、第１の構造部材３０は第１のカバー部材であり、第１のカバー部材は針基にカバーして設置され、第２の構造部材４０は第２のカバー部材であり、第２のカバー部材は、第１のカバー部材にカバーして設置される。
【００３８】
本発明の一実施例において、針基１０は、少なくとも取付け部１３を備え、取付け部１３は、針基１０において、第１の構造部材３０が摺動可能に係合される過程に、第１の構造部材３０に覆われることができる部分である。取付け部１３は針基１０の一部分として、針基１０と一体式に設置されてもよく、分体式に設置されてもよい。第１の構造部材３０は、取付け部１３の第１側１０１を超えない。第１の構造部材３０は、取付け部１３の第１側１０１において開放されている。第２の構造部材４０は、取付け部１３の第１側１０１を超える底部構造を有し、即ち、第２の構造部材４０は、第２側１０２から第１側１０１の方向に沿って、取付け部１３の第１側１０１を超える底部構造を有する。
【００３９】
針２０を引き抜く時、第２の構造部材４０を押して、第２の構造部材４０の底部構造を患者の皮膚に接触させて、支持体を形成することにより、容易に針２０を引き抜くことができ、底部構造は、取付け部１３の第１側１０１と皮膚との間に距離または仕切りが存在するようにし、滑らかに取付け部１３を引くことができ、また長時間の取付け部１３と皮膚との接触により接着されることを避けることができて、針２０を引き抜く時、取付け部１３が皮膚を引っ張って、患者の痛みを発生させることを避ける。
【００４０】
第１の構造部材３０は、取付け部１３の第１側１０１を超えないため、第１の構造部材３０は、取付け部１３の第１側１０１と取付け部１３の第１側１０１に位置する第２の構造部材４０との間の距離を増加させなく、取付け部１３の第１側１０１と第２の構造部材４０との間の距離を最大限に減少させ、第１の構造部材３０及び第２の構造部材４０が跳ね返った時、取付け部１３の部分の直径を最大限に小さくし、針２０と皮膚との傾斜角度を最大限に小さくすることで、点滴中の患者の快適さを向上させる。
【００４１】
底部構造の内壁は、取付け部１３の第１側１０１と摺動可能に係合される。取付け部１３から第２の構造部材４０の底部構造の内壁までの距離を除去することにより、取付け部１３から患者皮膚までの距離を最大限に減少させることができ、より効果的に針２０と皮膚との間の傾斜角度を小さくし、点滴中の患者の快適さを向上させる。好ましい底部構造は柔構造であり、それと患者皮膚とをより密着させ、さらに患者の快適さを向上させる。
【００４２】
本発明のさらなる実施例において、第１の構造部材３０は、取付け部１３にカバーして設置され、第１の構造部材３０は、板状構造または任意の形状の溝型構造であってもよく、好ましくは、ｎ形またはｃ形であり、最大範囲で針２０を包んで、オペレータと針２０との接触により、誤って傷つけられることを避ける。同時に、取付け部１３から皮膚までの距離を増加させない。取付け部１３の第１側１０１においては開放構造であり、開放構造の第１の構造部材３０は、針２０方向へ引かれた後、針２０の周縁部分を覆うことができ、もっとよく針２０を医療従事者と接触させないように保護することができて、バクテリアの拡散を避ける。即ち、第１の構造部材３０においての取付け部１３の第１側１０１と第２の構造部材との間の距離を増加させる部分のみ除去すれば、取付け部１３の第１側１０１と皮膚との間の距離を減少させることができる。第２の構造部材４０は第１の構造部材３０にカバーして設置される。穿刺装置の使用時、第１の構造部材３０及び第２の構造部材４０は取付け部１３に設置され、穿刺装置の使用が終わった後、第２の構造部材４０が針２０と第１端２０１に対する第２端２０２を覆うまで、第２の構造部材４０を押して、針基１０、針２０を引き抜き、取付け部１３を第１の構造部材３０から引き出し、第１の構造部材３０を第２の構造部材４０から引き出すことで、穿刺の回収中に、回収員に対しての傷害を避けることができ、同時に、使用中に患者の快適さに影響を与えない。第２の構造部材４０は、任意の形状の溝型構造であってもよい。
【００４３】
取付け部１３は、第１側１０１に対する使用時皮膚から離れる一つの頂面を有し、第１の構造部材３０は、使用時皮膚に近接する一つの底面を有し、第１の構造部材３０の底面は、取付け部１３の第１側１０１と取付け部１３の頂面との間に位置する。取付け部１３の頂面、即ち取付け部１３の第２側１０２、即ち第１の構造部材３０の底面は、第１側１０１と第２側１０２との間に位置する。このように、第１の構造部材３０が取付け部１３の第１側１０１と第２の構造部材との間の距離に与える影響を完全に避けることができ、さらに使用中の患者に対する快適さを増加させる。
【００４４】
本発明の一実施例における第２の構造部材４０は、取付け部１３の第１側１０１において、開放構造であり、底部構造は第２の構造部材４０の開放構造のエッジであり、エッジは皮膚に支持され、取付け部１３は皮膚から離れている。
【００４５】
本発明の他の実施例において、第２の構造部材４０の底部には一つのパッド層４５が設置され、底部構造はパッド層４５であり、パッド層４５の底部は平らな表面であり、即ち平底なパッド層４５であり、第２の構造部材４０は、取付け部１３及び第１の構造部材３０を囲んで内部に設置する。平底なパッド層４５は、取付け部１３と皮膚との間に一仕切りを有するように、皮膚に支持され、同時に平底なパッド層４５は人体の皮膚に接触され、患者の皮膚が押圧される時、より快適に感じさせることができ、パッド層４５は、第２の構造部材４０と皮膚との接触の面積を増加し、さらに患者の快適さを向上させて、押圧時、第２の構造部材４０を転がることにより患者の痛みを起こすことを避ける。パッド層４５を含んだ第２の構造部材４０は、取付け部１３及び第１の構造部材３０を囲んで内部に設置する。パッド層４５及び第２の構造部材４０の他の部分は、別々に製造した後再度組み立ててもよく、この場合、第２の構造部材４０の下方には、係合部４０１が設置されてもよく、パッド層４５は係合部４０１に係合されている。その他、パッド層４５及び第２の構造部材４０の他の部分は、一体成形であってもよい。好ましくは、針２０とパッド層４５の底部との垂直距離は０.０５ｍｍより大きく、好ましくは０.１ｍｍであり、このように、針２０と身体の皮膚との距離を結構近づけさせることにより、穿刺装置の使用時の快適さを向上させる。パッド層４５を備える第２の構造部材４０は、円筒形または断面が多角形である筒状であってもよい。
【００４６】
本発明のまた他の実施例における第２の構造部材４０はスリーブであり、第２の構造部材４０は、取付け部１３の第１側１０１において平底であり、底部構造は第２の構造部材４０の平底部分である。
【００４７】
第２の構造部材４０の平底部分の外部には、第１側１０１に平行して延長される凸状部が設置され、隣接する凸状部との間に、第１側１０１に平行して延長される凹状部を形成する。凸状部及び凸状部の設置は、第２の構造部材４０が皮膚に容易に近づいて密着されないようにする。
【００４８】
本発明において、針基１０及び第１の構造部材３０には、相互に摺動可能に係合される第１の接続構造及び第２の接続構造がそれぞれ成形されており、第１の構造部材３０及び第２の構造部材４０には、相互に摺動可能に係合される第３の接続構造及び第４の接続構造がそれぞれ成形されている。
【００４９】
第１の接続構造及び第２の接続構造は、それぞれ針２０の延長方向に沿って配置された第１の滑り面１２及び第１のスライドレール３６であり、または第１の接続構造及び第２の接続構造は、それぞれ針２０の延長方向に沿って配置された第１のスライドレール３６及び第１の滑り面１２であり、第３の接続構造及び第４の接続構造は、それぞれ針２０の延長方向に沿って配置された第２の滑り面３７及び第２のスライドレール４３であり、または第３の接続構造及び第４の接続構造は、針２０の延長方向に沿って配置された第２のスライドレール４３及び第２の滑り面３７である。
【００５０】
本発明の一実施例において、針基１０の両側には、それぞれ第１の滑り面１２が設置され、第１の構造部材３０には、第１の滑り面１２と組み合わせる第１のスライドレール３６が設置され、第１の構造部材３０の両側には、それぞれ第２の滑り面３７が設置され、第２の構造部材４０には、第２の滑り面３７と組み合わせる第２のスライドレール４３が設置される。滑り面/スライドレールを設置することにより、針基１０、第１の構造部材３０及び第２の構造部材４０の間に対して摺動する時の安定性を保証することができる。
【００５１】
第１の構造部材３０及び第２の構造部材４０はすべて溝形状であってもよい。針基１０の長さは２ｍｍより大きく、第１の構造部材３０の長さは２ｍｍより大きく、第２の構造部材４０の長さは２ｍｍより大きい。
【００５２】
第２の構造部材４０の上面には、押圧部４４が設置される。このように、穿刺装置の使用が終わった後、使用者は第２の構造部材４０においての押圧部４４を押圧して、容易に第２の構造部材４０を摺動することができる。
【００５３】
使用時、より便利にするため、針基１０には操作ハンドル５０が設置され、操作ハンドル５０には少なくとも一つのウイング部５１が設置される。ウイング部５１は一つであってもよく、それは針基１０の一側に位置される。ウイング部５１は二つであってもよく、二つのウイング部５１は、それぞれ針基１０の両側に設置される。操作ハンドル５０と針基１０との接続方法は多様であってもよく、操作ハンドル５０は、針基１０に一体成形されてもよく、または図６に示すように、操作ハンドル５０は針基１０に係合され、または図９に示すように、操作ハンドル５０は、針基１０にスリーブ接続される。図１０に示すように、操作ハンドル５０は、さらに折り曲げ部５２を備え、折り曲げ部５２は、ウイング部５１と針基１０との間に設置される。折り曲げることができる操作ハンドル５０は操作しやすい。
【００５４】
穿刺装置の使用が終わった後、第２の構造部材４０を押圧し、針２０が人体の皮膚から離れるように、針基１０を後に向かって引き抜く。針基１０が後に向かって移動するとき、第１の構造部材３０は、針基１０とともに後に向かって摺動し、第２の構造部材４０は移動しない。弾性制限部３２が突出部１１を収容空間３１に制限した時、針基１０は、第１の構造部材３０に係合され、第２の受け止め部３４が第３の受け止め部４２を止めるとき、第１の構造部材３０が再度後に向かって摺動しなく、第１の受け止め部３３は、弾性係止部材４１を止めて、第１の構造部材３０が前に向かって摺動することを防止する。ところが、第１の構造部材３０及び第２の構造部材４０は、針基１０上の針２０をカバーする。第１の構造部材３０及び第２の構造部材４０は跳ね返らず、針２０をカバーし、針２０が人または物体を傷害することを防止する。操作中に、患者の皮膚に不快感が出現しないように、パッド層４５は平らな表面であって、直接人体の皮膚に接触することで、使用中の快適さを向上させた。
【００５５】
本発明の穿刺装置は、使用時にオペレータの操作が便利で、患者の皮膚が快適になる利点があり、使用後、急速に針基１０の上方の構造部材が、針２０をカバーするようにし、また構造部材と針基１０との間に堅固に接続されて、構造部材が跳ね返ることは発生せず、効果的に製品の安全性を向上させた。
【００５６】
図１１に示すように、本発明の一実施例において、穿刺装置は、若干の第１の構造部材３０１、３０２と、若干の第１の構造部材は３層に重ねて設置されて相互に針２０の延長方向に沿って摺動可能に係合され、互に組み合わせる第１の構造部材３０１と、３０２との間に、それが針２０の延長方向に沿って分離されることを制限するストッパー機構が設置される。若干の第１の構造部材３０１、３０２の中の一つは、針基１０と摺動可能に係合されて接続され、他の一つは、第２の構造部材４０と摺動可能に係合されて接続され、最も内部に位置する第１の構造部材３０１は、針基１０と摺動可能に係合され、最も外部に位置する第１の構造部材３０２は、第２の構造部材４０と摺動可能に係合され、若干の第１の構造部材３０１、３０２は、針基１０の第１側１０１を超えなく、若干の第１の構造部材３０１、３０２を設置すると、針基１０部分の長さを減少することができて、引いた後、完全に針２０をカバーすることができて、針２０を保護することができる。
【００５７】
本発明の穿刺装置は、静脈内注射針、採血針、留置針、注射針または他の穿刺針であることができ、操作時の患者の快適さを向上させることができる。
本発明の説明において、理解すべきなことは、用語「上方」、「下方」、「前」、「後」、「左」、「右」、「垂直」、「水平」、「頂部」、「底部」、「内部」、「外部」等の指示している方向または位置関係は、図面に示された方向または位置関係に基づいたことで、ただ容易に本発明を説明し、かつ説明を簡単にするためであり、指示または暗示した装置または素子が、必ずしも特定の方向、特定の方向による構成及び操作を有しなければならないことではないので、本発明を制限するものと解釈してはならない。
本発明をよりよく理解するために、第１側１０１は、例えば水平面に配置でき、針先が指す方向を、例えば「前」と定義できる。そのようにすれば、他の部分の位置関係をよりよく理解するための座標系が構築される。
【００５８】
以上、本発明の具体的な実施形態について説明を行ったが、本発明の当業者にとって、これは単なる例示であり、本発明の保護範囲は保護請求の範囲により限定して解釈するものであることを理解すべきである。本発明の当業者は、本発明の原理と実質を逸脱しないことを前提に、これらの実施形態について多様な変更または修正を行うことができるが、これらの変更及び修正はすべて本発明の保護範囲に属することである。
【図１】
0006691136.tif 000002
【図２】
0006691136.tif 000003
【図３】
0006691136.tif 000004
【図４】
0006691136.tif 000005
【図５】
0006691136.tif 000006
【図６】
0006691136.tif 000007
【図７】
0006691136.tif 000008
【図８】
0006691136.tif 000009
【図９】
0006691136.tif 000010
【図１０】
0006691136.tif 000011
【図１１】
0006691136.tif 000012